(57)【要約】  本発明は高密度再生専用光ディスク、高密度再生専用光ディスクへのディスク情報記録方法、高密度再生専用光ディスクの再生方法に関する。高密度再生専用光ディスクに適するピット形態のディスク情報（ＤＩ）をリードイン領域またはリードアウト領域の特定記録区間内に所定回数以上反復記録することによって、再生動作時その特定記録区間内に記録されたディスク情報を迅速に読み出して、読み出したディスク情報を基礎にしてデータ再生動作を正常に実行することができる。
2005536001.tif 000002
【特許請求の範囲】
【請求項１】
高密度再生専用光ディスクに対するディスク情報をリードイン領域またはリードアウト領域にピット形態で反復記録するステップを有する高密度再生専用光ディスクへの情報記録方法。
【請求項２】
前記リードイン領域またはリードアウト領域は前記ディスク情報を含む第１領域と前記第１領域とは別の第２領域とで構成されており、前記第２領域にも前記ディスク情報が反復記録されることを特徴とする請求項１記載の高密度再生専用光ディスクへの情報記録方法。
【請求項３】
前記ディスク情報は再記録可能なブルーレイディスクの欠陥管理領域に対応する領域に反復記録されることを特徴とする請求項１記載の高密度再生専用光ディスクへの情報記録方法。
【請求項４】
前記ディスク情報は所定サイズの物理的セクター単位で反復記録されることを特徴とする請求項３記載の高密度再生専用光ディスクへの情報記録方法。
【請求項５】
前記ディスク情報は所定サイズのディスク情報セクターに含まれて記録されることを特徴とする請求項４記載の高密度再生専用光ディスクへの情報記録方法。
【請求項６】
前記ディスク情報セクターには前記ディスク情報とダミーデータが所定回数反復記録されることを特徴とする請求項５記載の高密度再生専用光ディスクへの情報記録方法。
【請求項７】
前記ディスク情報セクターは各物理的クラスターの１番目のセクターに記録されることを特徴とする請求項６記載の高密度再生専用光ディスクへの情報記録方法。
【請求項８】
前記ディスク情報は再記録可能なブルーレイディスクのリードイン領域に含まれる予備領域に対応する領域に反復記録されることを特徴とする請求項１記載の高密度再生専用光ディスクへの情報記録方法。
【請求項９】
前記ディスク情報は複数の記録層にそれぞれ反復記録されることを特徴とする請求項１、２、３または８のいずれかに記載の高密度再生専用光ディスクへの情報記録方法。
【請求項１０】
リードイン領域またはリードアウト領域を含み、
データが所定記録単位で記録されており、ディスクタイプ情報とデータ領域割り当て情報のうち少なくとも一つ以上が含まれるディスク情報が前記リードイン領域またはリードアウト領域にピット形態で反復記録されていることを特徴とする高密度記録媒体。
【請求項１１】
前記所定記録単位は一つのエラー訂正ブロック単位に対応する記録ユニットブロックであることを特徴とする請求項１０記載の高密度記録媒体。
【請求項１２】
前記リードイン領域またはリードアウト領域は前記ディスク情報を含む第１領域と前記第１領域とは別の第２領域とで構成されており、前記第２領域にも前記ディスク情報が反復記録されることを特徴とする請求項１０記載の高密度記録媒体。
【請求項１３】
前記ディスク情報は再記録可能なブルーレイディスクの欠陥管理領域に対応する領域に反復記録されていることを特徴とする請求項１０記載の高密度記録媒体。
【請求項１４】
前記ディスク情報は所定サイズの物理的セクター単位で反復記録されていることを特徴とする請求項１３記載の高密度記録媒体。
【請求項１５】
前記ディスク情報は所定サイズのディスク情報セクターに含まれて記録されていることを特徴とする請求項１４記載の高密度記録媒体。
【請求項１６】
前記ディスク情報セクターには１１２バイトのディスク情報と１４４バイトのダミーデータが所定回数反復記録されていることを特徴とする請求項１５記載の高密度記録媒体。
【請求項１７】
前記ディスク情報は各物理的クラスターの１番目のセクターに記録されていることを特徴とする請求項１５記載の高密度記録媒体。
【請求項１８】
前記ディスク情報は再記録可能なブルーレイディスクのリードイン領域に含まれる予備領域に対応する領域に反復記録されていることを特徴とする請求項１５記載の高密度記録媒体。
【請求項１９】
前記ディスク情報は複数の記録層にそれぞれ反復記録されていることを特徴とする請求項１０、１２、１３又は１８のいずれかに記載の高密度記録媒体。
【請求項２０】
高密度再生専用光ディスクのリードイン領域またはリードアウト領域にピット形態で記録され、前記高密度再生専用光ディスクに記録されたデータを再生するのに必要な情報を含むディスク情報を読み込む段階；及び
前記読み込んだディスク情報を基礎にして前記高密度再生専用光ディスクに記録されたデータを再生する段階を含む高密度再生専用光ディスクの再生方法。
【請求項２１】
前記ディスク情報にはディスクタイプ情報とデータ領域割り当て情報のうち少なくとも一つ以上が含まれることを特徴とする請求項２０記載の高密度再生専用光ディスクの再生方法。
【請求項２２】
前記リードイン領域またはリードアウト領域は前記ディスク情報を含む第１領域と前記第１領域とは別の第２領域とで構成されており、前記第２領域にも前記ディスク情報がピット形態で反復記録されていることを特徴とする請求項２０記載の高密度再生専用光ディスクの再生方法。
【請求項２３】
前記第２領域は再記録可能なブルーレイディスクの欠陥管理領域に対応する領域であることを特徴とする請求項２２記載の高密度再生専用光ディスクの再生方法。
【請求項２４】
前記ディスク情報は所定サイズの物理的セクター単位で反復記録されていることを特徴とする請求項２３記載の高密度再生専用光ディスクの再生方法。
【請求項２５】
前記第２領域は再記録可能なブルーレイディスクのリードイン領域に含まれる予備領域に対応する領域であることを特徴とする請求項２２記載の高密度再生専用光ディスクの再生方法。
【請求項２６】
前記ディスク情報は複数の記録層にそれぞれ反復記録されていることを特徴とする請求項２０、２２、２３又は２５のいずれかに記載の高密度再生専用光ディスク再生方法。
【請求項２７】
高密度再生専用光ディスクに対するディスク情報をリードイン領域またはリードアウト領域にピット形態で反復記録する段階；及び
前記ディスク情報をＢＣＡに記録する段階を含む高密度再生専用光ディスクへの情報記録方法。
【請求項２８】
高密度再生専用光ディスクに対するディスク情報をＢＣＡに記録する段階；及び
前記ディスク情報をリードイン領域またはリードアウト領域にピット形態で反復記録する段階を含む高密度再生専用光ディスクへの情報記録方法。
【請求項２９】
リードイン領域またはリードアウト領域を含み、
データが所定記録単位で記録されており、ディスクタイプ情報とデータ領域割り当て情報のうち少なくとも一つ以上が含まれるディスク情報が前記リードイン領域より内側に位置するＢＣＡに記録されていて、前記ディスク情報は前記リードイン領域またはリードアウト領域にもピット形態で反復記録されていることを特徴とする高密度再生専用光ディスク。
【発明の詳細な説明】
【技術分野】
【０００１】
本発明は高密度再生専用光ディスクに情報を記録する方法に係り、さらに詳細には再生専用ブルーレイディスク（ＢＤ−ＲＯＭ：Blu-ray Disc Read Only Memory）のような高密度再生専用光ディスク、前記高密度再生専用光ディスクにディスク情報を記録する方法、そして前記高密度再生専用光ディスクに記録されたデータを再生する方法に関する。
【背景技術】
【０００２】
最近、高画質のビデオデータと高音質のオーディオデータを長時間記録することができる新しい高密度光ディスク、例えば再記録可能なブルーレイディスク（ＢＤ−ＲＥ）が開発中である。図１に示したように、ＢＤ−ＲＥ  １００はクランピング領域、トランジション領域、バーストカッティング領域（ＢＣＡ：Burst Cutting Area）、リードイン領域、データ領域、そしてリードアウト領域に区画されている。ＢＤ−ＲＥ  １００に記録されるデータは、一つのエラー訂正ブロック（ＥＣＣ  Ｂｌｏｃｋ）と同じ長さを持つ記録ユニットブロック（ＲＵＢ：Recording Unit Block）に分けて記録される。
【０００３】
ＢＤ−ＲＥ  １００のリードイン領域は、図２に示したように、プリレコードされた領域と再記録可能な領域に分かれている。プリレコードされた領域にはＰＩＣ領域（Permanent Information & Control Data Zone）が割り当てられ、再記録可能な領域にはデータ記録途中で検出される欠陥領域を代替記録するために必要な欠陥管理情報を記録するための第１、第２欠陥管理領域（ＤＭＡ：Defect Management Area）が割り当てられる。
【０００４】
また、ＢＤ−ＲＥ  １００のリードアウト領域は再記録可能な領域であって、ここにも図３に示したように、欠陥管理情報を記録するための第３、第４欠陥管理領域（ＤＭＡ）が割り当てられている。
【０００５】
図４は再記録可能なブルーレイディスク（ＢＤ−ＲＥ）のＰＩＣ領域に反復記録されるディスク情報をテーブルの形態で示したものである。ＰＩＣ領域には、永久に保存されなければならないディスク情報（ＤＩ：Disc Information）、例えばディスクタイプ情報（ＤＴ：Disc Type）とデータ領域割り当て情報（ＤＺＡ：Data Zone Allocation）等のような重要なディスク情報が高周波変調（ＨＦＭ：High Frequency Modulation）されたウォーブル形態で５回反復記録される。ディスク情報は３２バイトのパリティを除いて１１２バイトのサイズを有する。
【０００６】
ディスク情報を反復記録する理由はディスク情報検出を安定的に行い、データの記録または再生の安定性を確保することにある。例えばディスク情報が一回しか記録されていなければ、その記録された位置でディスク情報にエラーが発生したなどの原因によりディスク情報が正しく検出されなくなることがあり、データの記録または再生を正しく実行することができないことがるためである。
【０００７】
再記録が可能なリードイン領域、データ領域、そしてリードアウト領域はグルーブがウォーブル形態で形成されて、データはウォーブルに整列して記録される。ウォーブル形態のグルーブにはＡＤＩＰ（Address In Pre-groove）アドレスとＡＵＸデータで構成されたＡＤＩＰ情報が変調されている。ＡＤＩＰアドレスは、再記録可能なリードイン領域、データ領域、そしてリードアウト領域で、すなわち、ウォーブル形態のグルーブが形成されたすべての領域で、物理的なＡＤＩＰアドレス情報を含んでいる。しかし、ＡＵＸデータはプリレコードされた領域を除いたリードイン領域にだけディスク情報（ＤＩ）を含んでおり、それ以外のデータ領域とリードアウト領域では０値で満たされている。すなわち、ディスクタイプ情報とデータ領域割り当て情報のような重要なディスク情報は、ＰＩＣ領域を除いた再記録可能なリードイン領域にウォーブル形態のグルーブに変調したＡＤＩＰ情報内にＡＵＸデータとして記録される。ディスク情報は３２バイトのパリティーを含めて１４４バイトのサイズで、再記録可能なリードイン領域に形成されたウォーブル形態のグルーブに反復記録される。
【０００８】
この場合ディスク情報ブロックを最大１１，２７０回まで反復記録可能である。
光ディスクレコーダ等は、装置内にＢＤ−ＲＥ  １００が挿着されると、リードイン領域のＰＩＣ領域にＨＦＭウォーブル形態で反復記録されたり、ＰＩＣ領域を除いたリードイン領域にウォーブル形態で記録されたディスク情報（ＤＩ）を読み出して、ディスクタイプ情報やデータ領域割り当て情報等を確認して、その確認したディスク情報に対応するデータ記録動作または再生動作を正常に実行する。
一般的にＢＤ−ＲＥでは、ＰＩＣ領域にディスク情報を５回程度反復記録し、またＡＤＩＰ情報内にディスク情報を一定回数反復記録する。
【０００９】
最近では再生専用ブルーレイディスク（ＢＤ−ＲＯＭ）のような高密度再生専用光ディスクの開発及び規格化作業が関連企業の間で論議されている。前記のような高密度再生専用光ディスクにはディスクのトラック構造がウォーブル形態のグルーブではないこともあるため、例えば直列ピット構造で構成される場合、ＢＥ−ＲＥのＡＤＩＰ情報内またはＰＩＣ領域にウォーブル形態でディスク情報を記録することができなくなる。したがって、ディスク情報をディスク内に反復記録するための効率的な方法が急に要求されている実情である。
【発明の開示】
【発明が解決しようとする課題】
【００１０】
したがって、本発明は前記のような実情を勘案して創作されたものであって、再生専用ブルーレイディスク（ＢＤ−ＲＯＭ）のような高密度再生専用光ディスクに適したピット形態のディスク情報（ＤＩ）をリードイン領域またはリードアウト領域内の特定記録区間に所定回数以上反復記録して、再生動作時にディスク情報に対応した正常な再生動作を行うことができるようにするためのディスク情報記録方法、それによる高密度再生専用光ディスク、そしてそれによる高密度再生専用光ディスクの再生方法を提供することが目的である。
【課題を解決するための手段】
【００１１】
前記のような目的を達成するための本発明による高密度再生専用光ディスクへの情報記録方法は、高密度再生専用光ディスクに対するディスク情報をリードイン領域またはリードアウト領域にピット形態で反復記録することで構成されることを特徴としている。
【００１２】
また、本発明による高密度記録媒体は、リードイン領域またはリードアウト領域を含み、データは所定記録単位で記録され、ディスクタイプ情報とデータ領域割り当て情報のうち少なくとも一つ以上が含まれるディスク情報がリードイン領域またはリードアウト領域にピット形態で反復記録されていることを特徴としている。
【００１３】
また、本発明による高密度再生専用光ディスクの再生方法は、高密度再生専用光ディスクのリードイン領域またはリードアウト領域にピット形態で記録され、高密度再生専用光ディスクに記録されたデータを再生するのに必要な情報が含まれたディスク情報を読み込む段階、及びその読み込んだディスク情報を基礎にして高密度再生専用光ディスクに記録されたデータを再生する段階を含むことを特徴とする。
【発明を実施するための最良の形態】
【００１４】
以下、本発明による高密度再生専用光ディスク、高密度再生専用光ディスクにディスク情報を記録する方法、高密度再生専用光ディスクに記録されたデータを再生する方法に対する望ましい実施形態に対して添付した図面を参照しながら詳細に説明する。
【００１５】
本発明による高密度再生専用光ディスクにディスク情報を記録する方法は、再生専用ブルーレイディスク（ＢＤ−ＲＯＭ）を製作する過程に適用される。
【００１６】
ＢＤ−ＲＯＭは、図１を参照しながら前述したＢＤ−ＲＥのように、クランピング領域、トランジション領域、バーストカッティング領域、リードイン領域、データ領域、そしてリードアウト領域などに区画される。このＢＤ−ＲＯＭに記録されるデータは一つのエラー訂正ブロック単位に対応する所定サイズの記録ユニットブロック（ＲＵＢ）ごとに記録される。
【００１７】
ＢＤ−ＲＯＭのリードイン領域とリードアウト領域にピット形態のディスク情報（ＤＩ）が記録される。ＢＤ−ＲＯＭのリードイン領域のうち図２を参照しながら前述したＢＤ−ＲＥの第１欠陥管理領域（ＤＭＡ  １）に対応する特定記録区間には、１１２バイトのディスク情報（ＤＩ）に３２バイトのパリティが付加された１４４バイトのディスク情報ブロックが所定回数以上反復記録される。
【００１８】
例えば、第１欠陥管理領域（ＤＭＡ  １）に対応する特定記録区間は、４９８ロー×１９３２チャネルビットのサイズを有する３２個の物理的クラスタとして構成されるので、１４４バイトのディスク情報ブロックを約１４５６３回反復記録することができる。
【００１９】
本発明による他の実施形態によれば、１１２バイトのディスク情報（ＤＩ）に３２バイトのパリティが付加された１４４バイトのディスク情報ブロックを、図５に示したように、ＢＤ−ＲＯＭのリードイン領域のうちＢＤ−ＲＥ  １００における第２欠陥管理領域（ＤＭＡ  ２）に対応する特定記録区間に約１４５６３回反復記録する。
【００２０】
また、１１２バイトのディスク情報（ＤＩ）に３２バイトのパリティが付加された１４４バイトのディスク情報ブロックを、ＢＤ−ＲＯＭのリードアウト領域のうちＢＤ−ＲＥ  １００における第３欠陥管理領域（ＤＭＡ  ３）または第４欠陥管理領域（ＤＭＡ  ４）に対応する特定記録区間に約１４５６３回反復記録することもできる。
【００２１】
本発明によるさらに他の実施形態では、１１２バイトのディスク情報（ＤＩ）に３２バイトのパリティが付加された１４４バイトのディスク情報ブロックを、ＢＤ−ＲＯＭのリードイン領域のうちＢＤ−ＲＥ  １００における第１予備領域（Reserved 1）に対応する特定記録区間に所定回数以上記録することもできる。この場合、第１予備領域は１６０個の物理的クラスタとして構成されているので、１４４バイトのディスク情報ブロックを約７２８１７回反復記録することができる。
【００２２】
さらに、１４４バイトのディスク情報ブロックを、ＢＤ−ＲＯＭのリードイン領域のうちＢＤ−ＲＥ  １００における第２予備領域（Reserved 2）または第３予備領域（Reserved 3）にそれぞれ対応する特定記録区間に所定回数以上記録することもできる。例えば、第２予備領域は２０４８個の物理的クラスタで構成されているので、１４４バイトのディスク情報ブロックを約９３２０６７回反復記録することができ、第３予備領域は９６個の物理的クラスタで構成されているので、１４４バイトのディスク情報ブロックを約４３６９０回反復記録することができる。
【００２３】
これらの実施形態では３２バイトのパリティが付加された１４４バイトのディスク情報ブロックを反復記録することを例に挙げたが、３２バイトのパリティを除いた１１２バイトのディスク情報フレームのみを反復記録することもできる。この場合にはパリティを付加した時に比してより多くの反復記録が可能である。
【００２４】
また、ＢＤ−ＲＥでディスク情報ブロックを含むＰＩＣ領域内のすべての情報を反復記録することも可能である。
【００２５】
またマルチレイヤ構造、特にデュアル構造のＢＤ−ＲＯＭでは前記説明したＤＩブロックまたはＤＩフレームまたはＰＩＣ領域内のすべての情報を各レイヤの同一位置に反復記録することもできる。
【００２６】
したがって、図４を参照しながら前述したように、ＢＤ−ＲＥ  １００のＰＩＣ領域にＨＦＭウォーブル形態で５回反復記録し、またＢＤ−ＲＥ  １００のＰＩＣ領域を除いた再記録可能なリードイン領域に形成されたウォーブル形態のグルーブに変調して反復記録したディスク情報を、ＢＤ−ＲＯＭのリードイン領域またはリードアウト領域の特定記録区間内にピット形態で反復記録することができるようになる。
【００２７】
前記の実施形態では、リードイン領域またはリードアウト領域内のＰＩＣ領域に続く領域にディスク情報ブロックまたはディスク情報フレームまたはＰＩＣ領域内のすべての情報を反復記録することを例示したが、図２でのＰｒｏｔｅｃｔｉｏｎ  Ｚｏｎｅ  １及び／または前記リードイン領域またはリードアウト領域以外の他の領域、例えば図１で示したようにバーストカッティング領域（ＢＣＡ：Burst Cutting Area）に前記情報を反復記録することもできる。
【００２８】
一方、前記のようにＢＤ−ＲＯＭのリードイン領域またはリードアウト領域の特定記録区間に反復記録されるピット形態のディスク情報には、データ再生に必要な管理情報だけが含まれる。例えば図６に示したように、文字‘ＤＩ’を示す情報、規格のバージョンにしたがってＤＩを定義するＤＩ  ｆｏｒｍａｔ、各ＤＩ  ＢｌｏｃｋでのＤＩ  Ｆｒａｍｅ数を示す‘Ｎｕｍｂｅｒ  ｏｆ  ＤＩ  Ｆｒａｍｅｓ  ｉｎ  ｅａｃｈ  ＤＩ  Ｂｌｏｃｋ’、ＤＩ  Ｂｌｏｃｋにある順次的なＤＩ  Ｆｒａｍｅ数を示す‘ＤＩ  Ｆｒａｍｅ  ｓｅｑｕｅｎｃｅ  ｎｕｍｂｅｒ  ｉｎ  ＤＩ  Ｂｌｏｃｋ’、実際のＤＩ  Ｆｒａｍｅで使われるバイト数を示す‘Ｎｕｍｂｅｒ  ｏｆ  ＤＩ  ｂｙｔｅｓ  ｉｎ  ｕｓｅｒ  ｉｎ  ｔｈｉｓ  ＤＩ  Ｆｒａｍｅ’、ディスクタイプがＢＤ−ＲＯＭであることを示す‘Ｄｉｓｃ  ＴｙｐｅＩＤ’、ＢＣＡコードの存在有無を示す‘ＢＣＡ  ｄｅｓｃｒｉｐｔｏｒ’、ディスク内に記録されたデータの再生に必要な最大読み取り伝送速度を示す‘Ｍａｘｉｍｕｍ  ｔｒａｎｓｆｅｒ  ｒａｔｅ  ｏｆ  ａｐｐｌｉｃａｔｉｏｎ’、そして該当レイヤのＤａｔａ  Ｚｏｎｅの１番目の物理的なアドレスを示す‘Ｄａｔａ  Ｚｏｎｅ  Ａｌｌｏｃａｔｉｏｎ’などが含まれる。
【００２９】
一方、前述したように、再生専用ブルーレイディスク（ＢＤ−ＲＯＭ）のリードイン領域またはリードアウト領域のうち再記録可能なブルーレイディスク（ＢＤ−ＲＥ）の欠陥管理領域（ＤＭＡ）に対応する特定記録区間にピット形態のディスク情報を記録する具体的な実施形態に対して詳細に説明する。
【００３０】
図７は本発明によるディスク情報記録方法により定義されたディスク情報セクターに対する実施形態を示したものである。
【００３１】
再記録可能なブルーレイディスク（ＢＤ−ＲＥ）には、１１２バイトのディスク情報（ＤＩ）に３２バイトのパリティが付加され、さらにエラー訂正コードの長さに合せるために１０４バイトのダミー（Ｄｕｍｍｙ）データが付加された全体で２４８バイトが反復記録される。
【００３２】
本発明によるディスク情報記録方法では１１２バイトのディスク情報（ＤＩ）に１４４バイトのダミーデータを付加した２５６バイトを２０４８バイトの大きさを有する物理的セクター内に８回反復記録して、その物理的セクターをディスク情報セクターとして新しく定義する。
【００３３】
そして、ディスク情報セクターは、前述したように、ＢＤ−ＲＥのリードイン領域に含まれるＤＭＡ  １またはＤＭＡ  ２領域、そしてリードアウト領域に含まれるＤＭＡ  ３またはＤＭＡ  ４領域にそれぞれ対応するＢＤ−ＲＯＭの特定記録区間内に反復記録される。この時、ディスク情報セクターは、図８に示したように、各ＤＭＡ領域に対応する記録区間内に、３２個の物理的クラスタ（Physical Cluster 0-31）のそれぞれの１番目のセクターに記録される。
【００３４】
それぞれ２０４８バイトサイズの物理的セクター３２個で構成された物理的クラスタにおいて、ディスク情報セクターが最初の物理的セクターに記録されて、以後３１個の物理的セクターは予備領域に記録される。前記のように記録される３２個の物理的セクターは一般データ記録過程で使われるＬＤＣ（Long Distance Code）方式をそのまま用いることができる。
【００３５】
図９は本発明による再生専用ブルーレイディスク（ＢＤ−ＲＯＭ）を再生するための光ディスク装置の構成を概略的に示したのである。光ディスクプレーヤーは光ピックアップ１１、ＶＤＰ（Video Disc Player）システム１２、Ｄ／Ａ変換器１３などで構成されている。
【００３６】
ＶＤＰシステム１２では、装置内にＢＤ−ＲＯＭが挿着されると、ＢＤ−ＲＯＭのリードイン領域のうち特定記録区間、すなわちＢＤ−ＲＥのリードイン領域のうち欠陥管理領域に対応する特定記録区間、リードイン領域のうち予備領域に対応する特定記録区間、またはＢＣＡ領域を探索する。
【００３７】
そして、特定記録区間に反復記録されたピット形態のディスク情報をディスク情報セクターから読み出して、ＢＤ−ＲＯＭのディスクタイプ情報等のような重要なディスク情報を確認して、そのディスク情報に対応するデータの再生動作を正常に実行する。
【００３８】
前記のように構成された高密度再生専用光ディスク、高密度再生専用光ディスクへのディスク情報記録方法、高密度再生専用光ディスクの再生方法は、光ディスクの特定記録区間内に記録されたディスク情報を迅速に読み出して、その読み出したディスク情報を基礎にしてデータ再生動作を正常に遂行することができる。
【００３９】
以上前述した本発明の望ましい実施形態は例示の目的のために開示されたものであって、当業者ならば添付された特許請求範囲に開示された本発明の技術的思想とその技術的範囲内でまた他の多様な実施形態を改良、変更、代替または付加などが可能であることである。
【図面の簡単な説明】
【００４０】
【図１】再記録可能なブルーレイディスク（ＢＤ−ＲＥ）の構造を示したものである。
【図２】再記録可能なブルーレイディスク（ＢＤ−ＲＥ）のリードイン領域に記録される情報をテーブル形態で示したのである。
【図３】再記録可能なブルーレイディスク（ＢＤ−ＲＥ）のリードアウト領域に記録される情報をテーブル形態で示したのである。
【図４】再記録可能なブルーレイディスク（ＢＤ−ＲＥ）のＰＩＣ領域に反復記録されるディスク情報をテーブル形態で示したのである。
【図５】本発明による再生専用ブルーレイディスク（ＢＤ−ＲＯＭ）のリードイン領域またはリードアウト領域に反復記録されるディスク情報をテーブル形態で示したのである。
【図６】本発明による再生専用ブルーレイディスク（ＢＤ−ＲＯＭ）のリードイン領域またはリードアウト領域に反復記録されるディスク情報に対する詳細構成をテーブル形態で示したのである。
【図７】本発明によるディスク情報記録方法により定義されたディスク情報セクターに対する実施形態を示したものである。
【図８】本発明によるディスク情報セクターが含まれて記録される物理的クラスタに対する実施形態を示したものである。
【図９】本発明による再生専用ブルーレイディスク（ＢＤ−ＲＯＭ）を再生するための光ディスク装置に対する構成を概略的に示したのである。
【図１】
2005536001.tif 000003
【図２】
2005536001.tif 000004
【図３】
2005536001.tif 000005
【図４】
2005536001.tif 000006
【図５】
2005536001.tif 000007
【図６】
2005536001.tif 000008
【図７】
2005536001.tif 000009
【図８】
2005536001.tif 000010
【図９】
2005536001.tif 000011
【国際調査報告】
2005536001.tif 000012
2005536001.tif 000013